(57)【特許請求の範囲】
【請求項１】
遊技盤を取り付けるための開口部を有するとともに、その背面側に遊技球の供給経路を形成可能な取付基盤を備えた弾球遊技機において、
前記取付基盤は、発泡時に水を副生する炭酸水素塩による発泡剤を用いた、吸湿性材料を含む帯電防止性樹脂の発泡成型体からなることを特徴とする弾球遊技機。
【請求項２】
前記帯電防止性樹脂は、ＡＢＳ樹脂にポリエチレンオキシド系またはポリアミド系の吸湿性材料を混合してなることを特徴とする請求項１記載の弾球遊技機。
【発明の詳細な説明】
【０００１】
【発明の属する技術分野】
本発明は、遊技盤を取り付けるための開口部を有するとともに、その背面側に遊技球の供給経路を形成可能な取付基盤を備えた弾球遊技機に関し、特に、遊技球の供給経路において静電気を除去することができる弾球遊技機に関する。
【０００２】
【従来の技術】
パチンコ機に代表される弾球遊技機は、遊技盤を取り付けるための取付基盤の背面側に、遊技球を供給するための球タンク、賞球払出装置およびこれらの部材を連通するための球通路部材を備えている。このような弾球遊技機では、遊技盤の前面に設けられた遊技部内に遊技球を発射し、この遊技球が入賞口に入賞すると、賞球払出装置を駆動して球タンクに貯留された遊技球を流下させ、弾球遊技機の前面側に設けた上受け皿あるいは下受け皿に遊技球を払い出すようになっている。
【０００３】
このような弾球遊技機に使用される遊技球は、鉄等の金属により製造されており、球タンクへ供給される過程や、球タンクから賞球払出装置を経て上受け皿等へ流下する過程において遊技球同士が擦れ合ったり、遊技球と球通路との摩擦により静電気が発生する。この静電気が取付基盤に帯電したり、あるいは急激に放電すると、弾球遊技機を電気的に制御している制御回路が誤動作するおそれがある。
【０００４】
そこで、従来の弾球遊技機では、遊技球が流下する球通路を除電樹脂や帯電防止性樹脂等を用いて構成することにより、遊技球同士の摩擦等により発生する静電気を除去していた。
例えば、特開平５−３０５１７７号公報には、球通路が形成される取付基盤の全部または一部を極細繊維物質を含有した除電樹脂により形成したパチンコ機が開示されている。
【０００５】
また、特開平６−１５０５９号公報には、発射ハンドル、遊技球の受け皿、球タンク、リアパネル、基板ケース等を炭素系極細繊維を混入したプラスチックで形成したパチンコ機が開示されている。
【０００６】
また、特開平７−１４４０５８号公報には、取付基盤のほぼ全体を導電性プラスチックにより形成したパチンコ機が開示されている。
【０００７】
また、特開平７−２９９２２１号公報には、球通路が形成される機構枠体を導電性の合成樹脂により形成したパチンコ機が開示されている。
【０００８】
また、特開平８−１９６７１１号公報には、ソレノイドを有する球払出装置を導電性合成樹脂製ケーシングの内部に収容したパチンコ機が開示されている。
【０００９】
また、特開平９−９９１６０号公報には、取付基盤の外面部分、球通路、球排出ユニットのハウジングを導電性樹脂により形成したパチンコ機が開示されている。
【００１０】
また、特開平１０−１５５９９５号公報には、球タンク、球整列レールを帯電防止持続性樹脂により形成したパチンコ機が開示されている。
【００１１】
【発明が解決しようとする課題】
ところで、導電性樹脂を用いて帯電防止を行うには、遊技球に帯電した静電気を一旦導電性樹脂へ蓄積した後、この静電気を徐々に空気中に放電することにより、遊技球に帯電した静電気を除去している。
しかしながら、上述した各公報に記載された従来のパチンコ機では、球タンクから賞球払出装置を経て受け皿へ至るまでの球通路等を導電性樹脂等により形成しているが、帯電防止効果を発揮することができるのは、導電性樹脂等により形成された部材の表面のみである。
【００１２】
すなわち、いかに球通路の広範囲にわたって導電性樹脂等を用いたとしても、球通路を構成する部材の表面積は限られているため、静電気を蓄積するための容量をそれほど大きくすることはできない。このため、遊技球に帯電した静電気の全てを完全に除去することができず、遊技球に帯電した静電気により制御回路が誤動作するという問題を十分に解決することはできなかった。
【００１３】
本発明は、上述した事情に鑑み提案されたもので、遊技球の供給経路において発生する静電気を十分に除去可能な弾球遊技機を提供することを目的とする。
【００１４】
【課題を解決するための手段】
本発明に係る弾球遊技機は、上述した目的を達成するため、以下の特徴点を備えている。
すなわち、本発明に係る弾球遊技機は、遊技盤を取り付けるための開口部を有するとともに、その背面側に遊技球の供給経路を形成可能な取付基盤を備えた弾球遊技機において、
前記取付基盤は、発泡時に水を副生する炭酸水素塩による発泡剤を用いた、吸湿性材料を含む帯電防止性樹脂の発泡成型体からなることを特徴とするものである。
【００１５】
この弾球遊技機において、前記帯電防止性樹脂は、ＡＢＳ樹脂にポリエチレンオキシド系またはポリアミド系の吸湿性材料を混合したものとすることが可能である。
【００１６】
また、この弾球遊技機において、前記帯電防止性樹脂の表面抵抗値は、１０９〜１０１２Ωであることが好ましい。
【００１７】
【発明の実施の形態】
以下、本発明に係る弾球遊技機の実施形態について図面を参照しつつ詳細に説明する。なお、以下の説明では、代表的な弾球遊技機としてパチンコ機を例にとって説明を行う。
【００１８】
図１は、本発明の実施形態に係るパチンコ機の正面図、図２は、本発明の実施形態に係るパチンコ機の取付基盤の背面図、図３は、本発明の実施形態に係るパチンコ機の取付基盤に部品を取り付けた状態の背面図である。
【００１９】
本発明の実施形態に係るパチンコ機１は、図１に示すように、いわゆる島構造に固定するための外枠２を備えており、この外枠２に対して、図２，３に示す取付基盤３を開閉可能に取り付けてある。
取付基盤３の前面には、その上半部に遊技部を有する遊技盤４を取り付け、遊技盤４の下方の取付基盤３の前面には、遊技に使用するための遊技球を貯留するとともに賞として払い出される遊技球を受け入れるための上受け皿５と、上受け皿５からオーバーフローした遊技球を受け入れるための下受け皿６とを上下に並べて取り付け、下受け皿６の右側には、遊技球の発射操作を行うための発射ハンドル７を取り付けてある。
【００２０】
下受け皿６の底面には、下受け皿６内に貯留した遊技球を排出するための球排出口（図示せず）を設け、球排出口には左右方向にスライドして球排出口を開閉するためのスライド部材８を取り付けてある。また、下受け皿６の前面には、スライド部材８と一体となった球抜きレバー９を突出して設けてある。この球抜きレバー９を操作することにより、スライド部材８が左右にスライドして球排出口を開閉することができる。
【００２１】
取付基盤３は、図２に示すように、そのほぼ中央部に遊技盤４に対向する開口部１０を有し、その背面側の側部には、球通路の側壁となるリブ１１を突出して設けてある。
この取付基盤３の背面には、図３に示すように、遊技盤４の背面側に遊技制御を行うための遊技制御回路基板１２を取り付け、発射ハンドル７の背面側に遊技球の発射装置（図示せず）の制御を行うための発射制御回路基板１３を取り付けてある。
【００２２】
また、取付基盤３の背面の上部には、賞球として排出するための遊技球を貯留するための球タンク１４を取り付け、球タンク１４の下方には、球タンク１４に貯留した遊技球を整列して流下させるための球タンク下部通路部材１５を取り付け、球タンク下部通路部材１５の下方には、入賞球に対して所定数の賞球を払い出すための賞球払出装置１６を取り付けてある。
【００２３】
また、球タンク下部通路部材１５の上流側には、球タンク１４内に貯留した遊技球がなくなったことを検知するための球切れ検知スイッチ１７を取り付けてある。
【００２４】
上述したように、球タンク下部通路部材１５と、上受け皿５および下受け皿６との間には、球通路の側壁となるリブ１１を取付基盤３の背面側から突出して設けてあり、このリブ１１にはリアカバー１８を被せてある。
このリアカバー１８は、球タンク下部通路部材１５と賞球払出装置１６との間のリブ１１に被せるリアカバー１８ａと、賞球払出装置１６と上受け皿５との間のリブ１１に被せるリアカバー１８ｂと、上受け皿５と下受け皿６との間のリブ１１に被せるリアカバー１８ｃの３つの部分に分割されている。このようにリブ１１が形成されている箇所では、リブ１１にリアカバー１８ａ〜ｃを被せることにより球通路が形成される。
【００２５】
また、賞球払出装置１６の下流側の球通路は、遊技球の入賞に対する賞品球の払出通路１９と、貸し球の払出通路２０とに分岐しており、その分岐点には流路切替装置２１を設けてある。この流路切替装置２１は、通常の状態では賞品球の払出通路１９へ遊技球が流下するように切り替えられており、ＣＲユニットからの球貸し信号があったときは貸し球の払出通路２０へ遊技球が流下するように切り替えられる。
【００２６】
上述した本実施形態に係るパチンコ機１では、遊技球が球タンク１４から賞球払出装置１６を経て上受け皿５あるいは下受け皿６に供給される際に、遊技球同士の摩擦あるいは遊技球と球通路を構成する部材との摩擦により静電気が発生し、この静電気が遊技球に蓄積される。また、球タンク１４に供給される遊技球に対しても、研磨装置における研磨剤との摩擦により静電気が発生したり、遊技店内の球循環路を通過する際に球循環通路を構成する部材との摩擦により静電気が発生し、この静電気が遊技球に蓄積される。
【００２７】
この静電気が取付基盤３に帯電したり、あるいは急激に放電すると、遊技制御回路基板１２や発射制御回路基板１３等からなる制御装置が誤動作するおそれがある。
そこで、本実施形態に係る取付基盤３は、遊技球に帯電した静電気を除去するために、発泡時に水を副生する発泡剤を用いた帯電防止性樹脂の発泡成型体により形成されている。このような発泡剤としては、炭酸水素塩を用いることができる。
【００２８】
また、取付基盤３の材料となる帯電防止性樹脂は、表面抵抗値が１０９〜１０１２Ωであることが好ましい。ここで、表面抵抗とは、物体の表面を電流が流れるとき、主として物体の種類と表面の状態によって定まる抵抗のことをいい、単位長さを一辺とする正方形の対向する辺間の抵抗で定義される。
【００２９】
このように帯電防止性樹脂の表面抵抗値を１０９〜１０１２Ωとすることにより、遊技球に帯電した静電気を速やかに帯電防止性樹脂に移行させることができるとともに、帯電防止性樹脂に蓄積された静電気を樹脂内部に含まれる水分の平衡状態を利用して効率よく空気中に放電することができる。一方で、帯電防止性樹脂は、蓄積した静電気を急激に放出することがないから、放電によるノイズ発生も防止することができる。
【００３０】
この帯電防止性樹脂としては、ＡＢＳ樹脂を７０〜９５重量％、好ましくは７５〜９０重量％に対して、ポリアミド系の吸湿性材料を５〜３０％、好ましくは１０〜２５重量％含有させたものを用いることができる。ポリアミド系の吸湿性材料としては、ＡＢＳ樹脂との相性がよく価格が安いという点で、ポリエーテルエステルアミドを用いることが好ましい。
【００３１】
吸湿性材料の含有量が上記下限値を下回ると、帯電防止効果が発現し難くなる。また、吸湿性材料の含有量が上記上限値を上回る（ＡＢＳ樹脂の含有量が上記下限値を下回る）と、成型品の強度が低下する。
【００３２】
また、上記樹脂混合物１００重量部に対して、炭酸水素塩からなる発泡剤を０．０５〜０．５重量部添加する。
【００３３】
発泡成型体を形成するための成型方法は、例えば、ＧＣＰ（ガスカウンタプレッシャ）法を用いることができる。このＧＣＰ法とは、ガスで昇圧した金型内に樹脂を射出して成型する方法である。このような発泡成型法を用いることにより、樹脂冷却時の収縮によるいわゆるヒケやソリを防止することができる。特に、ＧＣＰ法を用いることにより、樹脂表面に発泡軌跡（スワールマーク）が出現しないので、表面が滑らかで、ヒケやソリのない成型品を得ることができる。
【００３４】
一般的に、帯電防止性樹脂による帯電防止性能は、帯電防止性樹脂が空気中の水分を吸着することにより発現される。したがって、帯電防止性樹脂による帯電防止性能は、空気に接する成型品の表面積に依存する。
【００３５】
本実施形態に係る取付基盤３は、帯電防止性樹脂を発泡成型することにより形成されており、発泡成型に使用する発泡剤はその発泡中において水分を放出する。そして、発泡剤から放出された水分は、帯電防止性樹脂の外部に拡散する以前に、発泡セル中で帯電防止性樹脂により吸収されるため、成型品の内部においても帯電防止性能を発揮することができる。
【００３６】
このように、本実施形態に係る取付基盤３は、その表面だけではなく、内部においても帯電防止性能を得ることができるため、優れた帯電防止効果を発揮することができる。
【００３７】
また、パチンコ機１が稼働して取付基盤３の温度が高くなると、その表面の水分が空気中に発散されることとなる。この場合、帯電防止性樹脂の内部に存在する水分が取付基盤３の表面に移動し、結果として取付基盤３の表面が乾くことがなく、帯電防止効果を持続することができる。そして、遊技店の営業が終了してパチンコ機１の電源を切ると、取付基盤３の温度が低くなり、空気中の水分が再び帯電防止性樹脂の内部に取り込まれる。
【００３８】
このように、取付基盤３の温度変化に伴って帯電防止性樹脂の内部に存在する水分が移動し、取付基盤３の帯電防止効果を維持することができる。
【００３９】
なお、界面活性剤を用いて帯電防止を行う方法も考えられるが、界面活性剤は低分子であるため、成型時に取付基盤３の表面に濃縮されてしまい、成型品内部の帯電防止効果を期待することができない。
【００４０】
また、アゾジカーボンアミド（ＡＤＣＡ）等のように、発泡時に水を副生しない発泡剤を使用した場合には、吸湿性樹脂による吸湿効果が成型品の表面に限定されるため、体積全体による帯電防止効果を期待することができない。
このため、本実施形態に係る取付基盤３のような優れた帯電防止効果を発揮することはできない。
【００４１】
上述した本実施形態に係る取付基盤３を用いたパチンコ機１について、遊技球の帯電量測定試験を行った。
この帯電量測定試験では、本実施形態に係る取付基盤３と、従来のＡＢＳ樹脂製の取付基盤と、これらと比較するために、ＡＢＳ樹脂に界面活性剤を添加して作成した取付基盤とを用いたパチンコ機について遊技球の帯電量を測定した。
【００４２】
本実施形態に係る取付基盤３は、ＡＢＳ樹脂に吸湿性材料としてポリエーテルエステルアミドを１５重量％添加して発泡成型したものであり、従来の取付基盤は、ＡＢＳ樹脂のみを用いて成型したものであり、比較品の取付基盤は、ＡＢＳ樹脂に界面活性剤としてアルキルスルホン酸ナトリウムを３重量％添加して成型したものである。
【００４３】
測定試験を行うための準備として、各取付基盤をパチンコ機に取り付け、球タンクにアース線を接続して球タンクにおいて遊技球に帯電していない状態とし、上受け皿の出口部を塞いで球タンクから下受け皿へ遊技球が流下する状態とした。
試験条件として、温度２５℃、湿度３０％の電磁波シールドルーム内で、各取付基盤を取り付けたパチンコ機の球タンクに５００個の遊技球を投入し、遊技球の流下を１０回繰り返して、下受け皿の球抜きレバー付近における遊技球の帯電量を測定した。また、帯電量の測定には、（株）宍戸商事製：スタチロンＭ（登録商標）を用いた。
表１に、帯電量測定試験の結果を示す。
【００４４】
【表１】
0004251598.tif 000002
【００４５】
上記表１から明らかなように、従来の取付基盤を用いた場合には帯電量の平均値が９．２ＫＶであり、比較品の取付基盤を用いた場合には帯電量の平均値が５．９ＫＶであるのに対して、本実施形態の取付基盤３を用いた場合には帯電量の平均値が０．１ＫＶとなり、極めて帯電防止効果が高いことが判る。
【００４６】
上述した説明では、代表的な弾球遊技機の一例としてパチンコ機１について説明したが、本発明に係る弾球遊技機は、遊技球を発射して遊技を行う遊技機であればどのような遊技機であってもよく、例えば、アレンジボール遊技機、雀球遊技機等にも適用することができる。
【００４７】
【発明の効果】
以上説明したように、本発明に係る弾球遊技機では、遊技球の供給経路を形成する取付基盤を、発泡時に水を副生する炭酸水素塩による発泡剤を用いた、吸湿性材料を含む帯電防止性樹脂の発泡成型体により形成している。また、この帯電防止性樹脂は、ＡＢＳ樹脂にポリエチレンオキシド系またはポリアミド系の吸湿性材料を混合してなるものが好ましい。
【００４８】
したがって、大型成型体である取付基盤の表面だけではなく、その内部においても帯電防止性能を発揮することができるので、静電気を蓄積するための容量が極めて大きなものとなり、優れた帯電防止効果を発揮することができる。
【図面の簡単な説明】
【図１】本発明の実施形態に係るパチンコ機の正面図
【図２】取付基盤の背面図
【図３】取付基盤に部品を取り付けた状態の背面図
【符号の説明】
１  パチンコ機
２  外枠
３  取付基盤
４  遊技盤
５  上受け皿
６  下受け皿
７  発射ハンドル
８  スライド部材
９  球抜きレバー
１０  開口部
１１  リブ
１２  遊技制御回路基板
１３  発射制御回路基板
１４  球タンク
１５  球タンク下部通路部材
１６  賞球払出装置
１７  球切れ検知スイッチ
１８  リアカバー
１９  上受け皿への球通路
２０  外部への球通路
２１  流路切替装置
【図１】
0004251598.tif 000003
【図２】
0004251598.tif 000004
【図３】
0004251598.tif 000005